(57)【特許請求の範囲】
【請求項１】
織布又は不織布からなる被取付体の表面上に着脱自在に取り付けられる取付体であって、
基材と、この基材に対して固定された複数の線状の係止材と、これら複数の係止材が挿通する複数の挿通孔を有する状態変更部材と、を備え、
前記基材は、前記係止材が前記挿通孔を挿通した状態で、前記状態変更部材から離間する第２位置とこの第２位置よりも前記状態変更部材に近い第１位置との間で前記状態変更部材に対して移動自在であり、
前記係止材は、前記基材が前記第１位置にあるとき、前記状態変更部材の外面から突出する基部とこの基部から湾曲又は屈曲して延びる係止端部とを含む弾性変形可能なフック部を有し、
前記フック部は、前記基材が前記第２位置にあるとき、前記挿通孔の内面と接することにより、前記係止端部が前記基部から離れる方向へ弾性変形した展開状態となり、
前記被取付体の表面に前記状態変更部材の外面が押し当てられた状態で前記基材が前記第２位置から前記第１位置へ移動すると、展開状態の前記フック部の係止端部の先端が前記被取付体の表面側から進入して裏面側へ貫通すると共に、前記フック部が展開状態から非展開状態へ復帰し、前記基材が前記第１位置に達した取付状態では、非展開状態の前記フック部の係止端部が前記被取付体の裏面側に係止して前記被取付体からの前記基材の離脱を抑制する
ことを特徴とする取付体。
【請求項２】
請求項１に記載の取付体であって、
前記基材を前記第１位置に保持する状態変更規制部材をさらに備えた
ことを特徴とする取付体。
【請求項３】
請求項２に記載の取付体であって、
前記状態変更規制部材は、前記基材を前記第１位置と前記第２位置とに選択的に保持する
ことを特徴とする取付体。
【請求項４】
請求項３に記載の取付体であって、
前記状態変更規制部材は、付勢部材とストッパとラッチ機構とを含み、
前記付勢部材は、前記基材を前記第１位置から前記第２位置へ向かう解除方向へ付勢し、
前記ストッパは、前記基材が前記付勢部材の付勢力により前記第１位置から前記第２位置へ移動する際に、当該基材が前記第２位置を超えて前記解除方向へ移動することを阻止して当該基材を前記第２位置に保持し、
前記ラッチ機構は、前記基材が前記付勢部材の付勢力に抗して前記第２位置から前記第１位置を超えた所定位置へ移動した後に前記付勢部材の付勢力により前記第１位置へ向かって移動する際に、当該基材が前記第１位置を超えて前記解除方向へ移動することを阻止して当該基材を前記第１位置に保持し、且つ前記第１位置に保持された基材が前記付勢部材の付勢力に抗して前記所定位置へ移動した後に前記付勢部材の付勢力により前記第１位置へ向かって移動する際に、当該基材が前記第１位置を超えて前記解除方向へ移動することを許容する
ことを特徴とする取付体。
【請求項５】
請求項１〜請求項４の何れかに記載の取付体であって、
前記係止端部は、前記基材が前記第１位置にあるとき、前記基部から前記状態変更部材の外面に向かって反転している
ことを特徴とする取付体。
【請求項６】
請求項１〜請求項５の何れかに記載の取付体であって、
前記複数の係止材は、全体の長さ及び太さの少なくとも一方が相違する２種類以上の係止材を含む
ことを特徴とする取付体。
【請求項７】
請求項１〜請求項６の何れかに記載の取付体であって、
前記複数の係止材は、前記基材に対する前記係止端部の延設方向が相違する２種類以上の係止材を含む
ことを特徴とする取付体。
【請求項８】
請求項１〜請求項７の何れかに記載の取付体であって、
前記挿通孔は、前記状態変更部材の内面側から外面側に向かって前記フック部の延設方向と相反する方向へ傾斜している
ことを特徴とする取付体。
【請求項９】
請求項１〜請求項８の何れかに記載の取付体であって、
前記フック部は、前記係止端部を複数有する
ことを特徴とする取付体。
【請求項１０】
請求項１〜請求項９の何れかに記載の取付体であって、
前記係止端部の先端は、前記基材が前記第２位置にあるとき前記挿通孔に収容される
ことを特徴とする取付体。
【発明の詳細な説明】
【技術分野】
【０００１】
本発明は、布地などの被取付体に取り付ける面ファスナーなどの取付体に関する。
【背景技術】
【０００２】
従来より、フック部材とループ状部材とを備えた面ファスナーがある。このような面ファスナーによれば、例えば、ネームプレートなどの取付対象にフック部材を固定し、衣服などの被取付体にループ状部材を固定し、当該フック部材とループ状部材とを係着させることにより、ネームプレートを衣服に着脱可能に取り付けることができる。しかし、このような面ファスナーにおいては、ループ状部材を有さない被取付体に対して、取付対象を取り付けることができない。そこで、近年では、フック部材のみを備え、ループ状部材を必要としない面ファスナーが提案されている。
【０００３】
【特許文献１】特開２００２−６５３１８号公報
【特許文献２】特開平１１−１７８６１３号公報
【発明の開示】
【発明が解決しようとする課題】
【０００４】
しかし、このような面ファスナーでは、布地などの被取付体に確固に取り付けられることは難しく、また、着脱の際に、フック部材によって被取付体を傷つける恐れがある。
【０００５】
そこで、本発明は、上記実情に鑑みてなされたものであって、布地などの被取付体を傷つけることなく、被取付体に着脱自在に且つ確固に取り付け可能な取付体を提供することを目的とする。
【課題を解決するための手段】
【０００６】
本発明は、織布又は不織布からなる被取付体の表面上に着脱自在に取り付けられる取付体であって、基材と、この基材に対して固定された複数の線状の係止材と、これら複数の係止材が挿通する複数の挿通孔を有する状態変更部材と、を備える。前記基材は、前記係止材が前記挿通孔を挿通した状態で、前記状態変更部材から離間する第２位置とこの第２位置よりも前記状態変更部材に近い第１位置との間で前記状態変更部材に対して移動自在である。前記係止材は、前記基材が前記第１位置にあるとき、前記状態変更部材の外面から突出する基部とこの基部から湾曲又は屈曲して延びる係止端部とを含む弾性変形可能なフック部を有する。前記フック部は、前記基材が前記第２位置にあるとき、前記挿通孔の内面と接することにより、前記係止端部が前記基部から離れる方向へ弾性変形した展開状態となる。前記被取付体の表面に前記状態変更部材の外面が押し当てられた状態で前記基材が前記第２位置から前記第１位置へ移動すると、展開状態の前記フック部の係止端部の先端が前記被取付体の表面側から進入して裏面側へ貫通すると共に、前記フック部が展開状態から非展開状態へ復帰し、前記基材が前記第１位置に達した取付状態では、非展開状態の前記フック部の係止端部が前記被取付体の裏面側に係止して前記被取付体からの前記基材の離脱を抑制する。
【０００７】
本発明によれば、前記状態変更部材の挿通孔を介することにより、前記基部とこの基部から湾曲又は屈曲して延びる係止端部とを含む弾性変形可能なフック部が、展開状態又は非展開状態に変更可能となる。そして、展開状態から非展開状態に変更されたフック部の係止端部が被取付体の裏面側に係止することにより、前記被取付体からの前記基材の離脱が抑制される。
【発明を実施するための最良の形態】
【０００８】
以下、図面を参照して本発明の実施例について説明する。なお、各図において共通する部分には、同一の符号が付されている。また、かかる実施例は本発明の一態様を示すものであり、この発明を限定するものではなく、本発明の範囲で任意に変更可能である。
【０００９】
[実施例１]
図１は、取付体１の外観を示す斜視図である。取付体１は、複数の係止部材３を一体的に有する樹脂製の基材２と、基材２と対向して配設される状態変更部材４と、これら基材２と状態変更部材４との間に設けられるバネ５及びラッチ機構６と状態変更部材４から延びるストッパ７とから構成されている。
【００１０】
基材２は板状に形成されており、この基材２の内面には、所定の間隔を設けて複数の係止部材３が列設されている。係止部材３は、弾性を有し、無負荷状態では、図２に示されるように、Ｊ字状を成している。このＪ字の長手側が基材２から略垂直に延びている。状態変更部材４は、基材２と略同じ大きさの内面及び外面を有する板状に形成されており、この状態変更部材４には、各係止部材３に対応して複数の挿通孔４０が穿設されている。挿通孔４０は、係止部材３の直径よりやや大きい直径を有しており、各挿通孔４０には各々対応する係止部材３が挿通される。
【００１１】
図３は、係止部材３と状態変更部材４の挿通孔４０との関係を説明するための断面図である。尚、図３においては、図面を簡略化するため、バネ５とラッチ機構６とストッパ７とを省いて図示している。以降の説明に使用する図面においても、適宜、バネ５とラッチ機構６とストッパ７とを省略している。
【００１２】
図３に示されるように、係止部材３は、基材２が後述する第１位置にあるときに状態変更部材４の外面から突出するフック部３０を有する。フック部３０は、基部３０ｂと、この基部３０ｂから湾曲して延びている係止端部３０ａとから成る。係止端部３０ａは、状態変更部材４の外面に向かって反転している。このフック部３０は、後述するように、基材２が状態変更部材４から離間するときに状態変更部材４の内面に向かって挿通孔４０に挿通される。
【００１３】
次に、バネ５とラッチ機構６とについて説明する。図４，７は、基材２と状態変更部材４との間隙に設けられたバネ５とラッチ機構６とを説明するための図であり、説明の便宜上、係止部材３を省いて図示した取付体１の断面図である。図４に示されるように、基材２と状態変更部材４との間隙の一端には、バネ５が配設されており、バネ５の各端はそれぞれ基材２と状態変更部材４とに固設されている。また、基材２と状態変更部材４との間隙の他端には、ラッチ機構６が設けられている。ラッチ機構６は、係合凸部６０と係合部６１とから構成されている。係合凸部６０は、図７に示されるように、断面略矢形状を成しており、係合部６１に対向する中央位置に向かって突出するよう基材２の底面に固設されている。係合部６１は、ハウジング６２と係合凹部６３とから構成されている。ハウジング６２は、空洞６４を有し、空洞６４の開口が係合凸部６０に対向して状態変更部材４の内面に固設されている。係合凹部６３は、係合凸部６０に係合する断面略Ｕ字形状を成しており、ハウジング６２の空洞６４内に配設されている。
【００１４】
このバネ５とラッチ機構６との協働及びストッパ７の機能により、基材２が少なくとも図１に示される位置（以下、第１位置という）と図５に示される位置（以下、第２位置という）との間で移動自在となると共に、基材２が第１位置又は第２位置に選択的に保持される。バネ５とラッチ機構６とが協働する機構（以下、協働機構という）及びストッパ７の機能については後述する。
【００１５】
図５は、基材２が第１位置より状態変更部材４から離間した第２位置にあるときの取付体１の外観を示す斜視図である。この状態のとき、各係止部材３のフック部３０の係止端部３０ａの先端は、図６に示されるように、挿通孔４０に収容され、状態変更部材４の外面から突出しない。このような状態では、係止部材３のフック部３０は、その先端が挿通孔４０の内面に接することにより弾性変形し、係止端部３０ａの湾曲した部分が略直線状に伸ばされた展開状態となる。
【００１６】
ストッパ７は、断面略Ｌ字型の棒状部材であり、Ｌ字の突起部分が基材２の外面に被るように、状態変更部材４のそれぞれ略両端に立設されている。このストッパ７により、基材２が第２位置よりも更に状態変更部材４から離間することが阻止される。
【００１７】
次に、バネ５とラッチ機構６とによる協働機構について説明する。尚、説明の便宜上、まず始めに、図４，７を参照しながら、係止部材３を省いて説明をする。
【００１８】
取付体１の基材２が上述の第２位置にあるとき、図７に示されるように、ラッチ機構６の係合凸部６０と係合凹部６３とは係合していない。このとき、バネ５の有する付勢力がバネ５に掛かる負荷力を上回るため、係合凸部６０と係合凹部６３とが係合していない状態が保持され、更にストッパ７によって基材２が第２位置よりも更に状態変更部材４から離間することが阻止され、基材２が第２位置にある状態が保持される（以降、第２状態という）。
【００１９】
この第２状態のときに基材２を押下すると、バネ５が収縮し、基材２と共にラッチ機構６の係合凸部６０が状態変更部材４に近づき係合凹部６３に進入し、係合凹部６３が外側方向に弾性変形して、係合凸部６０が所定位置まで更に進入する。このとき、基材２の押下を解除すると、基材２がバネ５の付勢力により押し上げられ、基材２と共に押し上げられる係合凸部６０により係合凹部６３が内側方向に弾性変形し、基材２が第１位置まで移動したとき、係合凸部６０の突起した部分が係合凹部６３に係合する。このとき、係合凸部６０と係合凹部６３との係合力がバネ５の付勢力を上回り、図４に示されるように、バネ５が収縮した状態が保持され、基材２が第１位置にある状態が保持される（以降、第１状態という）。
【００２０】
この第１状態のときに基材２を押下すると、係合凸部６０が上記所定位置まで進入し、このとき、基材２の押下を解除すると、係合凹部６３が外側方向に弾性変形し、係合凸部６０と係合凹部６３との係合状態が解除される。そして、バネ５の付勢力により、基材２が状態変更部材４から離間して第２位置に戻り、図６に示されるような第２状態に戻る。
【００２１】
次に、基材２の移動に応じて変化する係止部材３の状態について説明する。説明の便宜上、図３，６を参照しながら、１つの係止部材３について説明する。
【００２２】
図６に示されるように、第２状態のとき、係止部材３のフック部３０の係止端部３０ａの先端は挿通孔４０に収容され、係止部材３のフック部３０は展開状態となっている。そして、この状態がバネ５とストッパ７とにより保持される。
【００２３】
第２状態のときに基材２を押下すると、バネ５が収縮し、基材２と共に係止部材３が状態変更部材４に近づき、係止部材３のフック部３０の係止端部３０ａの先端が挿通孔４０の内面に案内されて、状態変更部材４の外面から突出する。そして、フック部３０が状態変更部材４の外面から徐々に突出すると共に、突出した部分の形状が展開状態から非展開状態に徐々に復帰していく。そして、上述の第１状態となったとき、図３に示されるように、フック部３０が状態変更部材４の外面から突出してその形状が略復元した状態となり、フック部３０は展開状態から非展開状態に復帰した状態となる。そして、この第１状態がラッチ機構６により保持される。
【００２４】
この第１状態のときに基材２を更に押下すると、ラッチ機構６の係合状態が解除され、バネ５の付勢力により、基材２と共に係止部材３が押し上げられ状態変更部材４から離間する。このとき、係止部材３のフック部３０は、挿通孔４０の内面に案内されて挿通孔４０の近傍にある部分の形状が略直線状に伸ばされながら徐々に押し上げられ、状態変更部材４の内面に向かって挿通孔４０に徐々に挿通される。そして、第２状態に戻ったとき、図６に示されるように、フック部３０の係止端部３０ａの先端が挿通孔４０に収容された状態となり、フック部３０は展開状態となる。
【００２５】
次に、取付体１を布地の表面上に着脱させる場合の動作について説明する。説明の便宜上、図８，９を参照しながら、１つの係止部材３について説明する。この布地は、繊維又は不織布の何れであっても良い。図８，９は、取付体１の１つの係止部材３がある部分と上述の繊維からなる布地との断面図である。
【００２６】
取付体１を布地に取り付ける場合、取付体１を第２状態にして、取付体１の状態変更部材４の外面を布地の表面に当接させる。このとき、図８に示されるように、取付体１の状態変更部材４の外面と布地の繊維Ｓの表面とが接した状態となっている。この状態のとき、取付体１の基材２を押下すると、係止部材３のフック部３０の係止端部３０ａの先端が、挿通孔４０に挿通して状態変更部材４の外面から突出し、繊維Ｓと繊維Ｓとの間隙（以下、繊維間とする）に進入する。そして、フック部３０が、状態変更部材４の外面から徐々に突出すると共に繊維間に徐々に進入して繊維Ｓの裏面側へ貫通すると、繊維Ｓの裏面側でフック部３０の形状が展開状態から徐々に非展開状態に復帰する。そして、取付体１が上述の第２状態となったとき、例えば図９に示されるように、繊維Ｓの裏面側でフック部３０の形状が略復元して、繊維Ｓがフック部３０によって係止された状態となる。そして、この第１状態がラッチ機構６とによって保持されることにより、布地がフック部３０によって係止された状態が保持される。このようにして、フック部３０が布地を係止することにより、取付体１が布地に容易且つ円滑に取り付けられる。
【００２７】
その後、取付体１を布地から取り外す場合、取付体１の基材２を押下すると、ラッチ機構６の係合状態が解除される。そして、バネ５の付勢力により、係止部材３が基材２と共に押し上げられる。係止部材３のフック部３０は、挿通孔４０の内面に案内されて弾性変形しながら持ち上げられるため、挿通孔４０の近傍にある部分の形状が略直線状に伸ばされた展開状態となり、状態変更部材４の外面に接している繊維間もその裏面側から表面側へと擦り抜けていく。そして、第２状態に戻ったとき、図８に示されるように、フック部３０の係止端部３０ａの先端は挿通孔４０に収容された状態となる。このようにして、布地がフック部３０によって係止された状態が解除され、取付体１が布地から容易且つ円滑に取り外される。
【００２８】
以上の構成により、布地を傷つけることなく、湾曲した部分を有するフック部３０を布地に容易且つ円滑に着脱でき、このような形状のフック部３０を布地に係止させることにより、取付体１を布地により確固に取り付けることができる。
【００２９】
このような構成の取付体１を、例えば粘着テープや磁石などの接着手段により、携帯電話や携帯ゲーム機、携帯情報端末、カメラ、マイクなどの取付対象に接着して使用することにより、洋服やエプロンや作業着、鞄などの任意の被取付体に取付対象を取り付けることができる。更に、これらの被取付体を傷つけることなく、取付対象を被取付体に確固に取り付けることができる。
【００３０】
[実施例２]
次に、本発明の第２実施例について説明する。以下、上記第１実施例と共通する部分については、その説明を省略する。
【００３１】
本実施例においては、基材２に配設される係止部材３′は、図１０に示されるように、無負荷状態でＬ字状を成している。そして、図１１に示されるように、係止部材３′は、基材２が上述した第１位置にあるときに、状態変更部材４に穿設された挿通孔４０に挿通され状態変更部材４の外面から突出するフック部３０′を有する。フック部３０′は、基部３０ｂ′と、基部３０ｂ′から屈曲して延びている部分係止端部３０ａ′とから成る。基部３０ｂ′は状態変更部材４に対して略垂直であり、係止端部３０ａ′は状態変更部材４に対して図中下方に傾斜している。
【００３２】
係止部材３′のフック部３０′は、上述の第２状態のとき、図１２に示されるように、その先端が挿通孔４０の内面に接することにより弾性変形し、係止端部３０ａ′の屈曲した部分が略直線状に伸ばされた展開状態となる。また、このとき、本実施例においては、フック部３０′の係止端部３０ａ′の先端は、状態変更部材４の外面から若干突出している。このとき、状態変更部材４の外面から突出した部分は、略直線状である。
【００３３】
このような構成の取付体１において、取付体１を布地に取り付ける場合、上述の第１実施例と同様に、取付体１を第２状態にして、取付体１の状態変更部材４の外面を布地の表面に当接させると、係止部材３′のフック部３０′の先端は、状態変更部材４の外面から略直線状に突出しているため、繊維間に進入する又は進入可能な状態となる。このとき、取付体１の基材２を押下すると、上述の第１実施例と同様にして、係止部材３のフック部３０′が、展開状態から非展開状態に復帰しながら繊維間に徐々に進入し、繊維Ｓの裏面側へ貫通する。そして、取付体１が上述の第１状態となったとき、例えば図１２に示されるように、繊維Ｓの裏面側でフック部３０′の形状が略復元し、繊維Ｓがフック部３０′によって係止された状態となる。そして、この第２状態がラッチ機構６によって保持されることにより、布地がフック部３０′によって係止された状態が保持される。
【００３４】
この取付体１を布地から取り外す場合は、上述の第１実施例と略同様であるため、その説明は省略する。
【００３５】
以上のような構成により、布地を傷つけることなく、屈曲した部分を有するフック部３０′を布地に容易且つ円滑に着脱でき、このようなフック部３０′を布地に係止させることにより、取付体１を布地に着脱させることができる。
【００３６】
[変形例]
＜変形例１＞
本発明においては、上述の取付体１を構成する各部材の素材は限定されるものではない。例えば、プラスチックや形状記憶合金などの素材を用いて係止部材３を構成しても良いし、プラスチックや金属などの素材を用いて基材２や状態変更部材４を構成しても良い。例えば、形状記憶合金を用いて係止部材３を構成する場合には、上述の無負荷状態のフック部３０の状態を原型として係止部材３を構成する。また、加熱機構と、該加熱機構の機能を作動又は解除するためのスイッチとを取付体１に備える。このような構成において、上述の実施例と同様に、上述の第２状態のとき、取付体１を布地に当接させて、基材２を押下する。そして、係止部材３のフック部３０の長さ分繊維間に進入した後、上述のスイッチをＯＮにすると、加熱機構が作動して、繊維間に突入した係止部材３のフック部３０が繊維Ｓの裏面で復元する。この結果、上述の実施例と同様にして、布地の繊維Ｓは、係止部材３のフック部３０により係止される。取付体１を布地から取り外すときは、上述のスイッチをＯＦＦにして加熱を停止させて、基材２を更に押下すると、係止部材３のフック部３０が挿通孔４０の内面に案内されて弾性変形しながら持ち上げられるため、繊維Ｓと取付体１との係止状態は解除される。
【００３７】
また、基材２と係止部材３とは一体的に形成しても良いし、別体で形成しても良いし、同素材で形成しても良いし、異素材で形成しても良い。
【００３８】
また、本発明においては、上述の取付体１を構成する各部材の大きさも限定されるものではなく、被取付体の生地に応じて適宜設定可能である。例えば、係止部材３の長さや太さ、係止部材３のフック部３０の長さや太さ、係止部材３が基材２に配設される間隔や本数は、例えば、被取付体として考えられる布地の織り目間や編み目間の大きさ、繊維の太さ、繊維や布地の剛性等に応じて、適宜設定可能である。
【００３９】
また、被取付体は、フェルトなどの複数の繊維が絡まることで生成された生地、また、複数の繊維を撚って生成された糸や紐を編むことによって形成されたニットなどの生地、皮革などが裁断されて形成された紐で編まれた生地などであっても良い。
【００４０】
以上のように、被取付体の種類に応じて取付体１のサイズや素材を適宜設定して取付体１を構成することにより、例えば、工事現場などで使用する防網など、編み目が大きな被取付体にも取付体１を取り付けることができる。
【００４１】
＜変形例２＞
係止部材３と挿通孔４０とを基材２と状態変更部材４とに対して各々傾斜させて配設するようにしても良い。例えば、図１３に示されるように、係止部材３のフック部３０の基部３０ｂに対する係止端部３０ａの延設方向と相反する方向に傾斜させて各係止部材３を基材２に配設する。そして、この係止部材３に対応して、係止部材３のフック部３０の基部３０ｂに対する係止端部３０ａの延設方向と相反する方向に傾斜させて各挿通孔４０を状態変更部材４に穿設する。
【００４２】
このような構成によれば、上述の第２状態のとき、図１４に示されるように、係止部材３のフック部３０の係止端部３０ａの先端が、繊維Ｓと繊維Ｓとの間隙（繊維間）に対してより垂直に近づくため、繊維間に進入し易く、繊維間から抜け易くなる。従って、被取付体に対して取付体１をより円滑に着脱できる。
【００４３】
＜変形例３＞
全体の長さや太さが異なる様々なサイズの係止部材３を１つの取付体１に混在させるように構成しても良い。例えば、図１５に示されるように、全体の長さ及び太さが異なる係止部材３Ａ，３Ｂを基材２に配設しても良い。
【００４４】
このような構成によれば、１つの取付体１をより多くの種類の被取付体に適用可能となる。
【００４５】
＜変形例４＞
係止部材３のフック部３０の基部３０ｂに対する係止端部３０ａの延設方向が異なる係止部材３を混在させて基材２に配設するようにしても良い。例えば、図１６に示されるように、無負荷状態における係止部材３のフック部３０の基部３０ｂに対する係止端部３０ａの延設方向が、一列毎に異なるように、係止部材３を基材２に列設する。
【００４６】
このような構成によれば、例えば、図１７に示されるように、各係止部材３が被取付体の繊維Ｓを異なる方向で係止可能となるため、被取付体に取付体１をより確固に取り付けることができる。
【００４７】
＜変形例５＞
また、上述の第１実施例においては、係止部材３は、Ｊ字状を成しているものとした。しかし、本発明においては、係止部材３の形状はこれに限らず、例えば、フック部３０を複数有し、フック部３０の基部３０ｂに対する係止端部３０ａの延設方向が複数であっても良い。具体的には、例えば、図１８に示されるような二叉形状であっても良い。このような構成の場合、上述の実施例における係止部材３を複数本重ねて１つの係止部材３″として基材２に配設し、図１９に示されるように、挿通孔４０に挿通可能とするよう構成しても良い。又は、１本の係止部材３″を、先端から所定の長さの部分が２方向に分割されるように形成しても良い。
【００４８】
このような構成により、例えば、図２０に示されるように、１つの係止部材３″で係止部材３よりも多くの繊維Ｓを係止可能となり、被取付体に取付体１をより確固に取り付けることが可能となる。また、例えば、係止部材３の形状を三つ叉形状、四つ叉形状にすることにより、更に多くの繊維を係止できる。
【００４９】
又は、係止部材３″の形状を二叉形状にする場合、図２１に示されるＴ字状を成すように形成しても良い。このような構成によれば、例えば図２２に示されるように、複数の係止部材３″の連係による繊維Ｓの係止をより確固にし、取付体１を布地により確固に取り付けることができる。
【００５０】
＜変形例６＞
上述の実施例においては、上述の第１状態及び第２状態を保持させるための構成として、バネ５とラッチ機構６とを用いた。しかし、本発明においてはこれに限らず、その他様々なラッチ機構を用いて構成するようにしても良い。
【００５１】
また、上述の実施例においては、ラッチ機構６の係合凸部６０を基材２に配設し、係合部６１を状態変更部材４に配設するように構成した。しかし、係合凸部６０を状態変更部材４に配設し、係合部６１を基材２に配設するように構成しても良い。
【００５２】
また、バネ５は、コイルバネであっても、板バネであっても良い。
【００５３】
＜変形例７＞
上述の実施例においては、状態変更部材４に挿通孔４０を穿設した。しかし、本発明においてはこれに限らず、係止部材３に対応する溝を状態変更部材４に配設するようにしても良い。
【産業上の利用可能性】
【００５４】
本発明は、布地などの被取付体に取り付ける面ファスナーなどの取付体に用いて好適である。
【図面の簡単な説明】
【００５５】
【図１】本発明の第１実施例における取付体１の外観を示す斜視図である。
【図２】同実施例における係止部材３の断面図である。
【図３】同実施例における係止部材３と状態変更部材４の挿通孔４０との関係を説明するための断面図である。
【図４】同実施例における係止部材３を省いて図示した取付体１の断面図である。
【図５】同実施例における取付体１の外観を示す斜視図である。
【図６】同実施例における１つの係止部材３がある部分の取付体１の断面図である。
【図７】同実施例における係止部材３を省いて図示した取付体１の断面図である。
【図８】同実施例における取付体１の１つの係止部材３がある部分と、繊維Ｓからなる布地との断面図である。
【図９】同実施例における取付体１の１つの係止部材３がある部分と、繊維Ｓからなる布地との断面図である。
【図１０】本発明の第２実施例における係止部材３′の断面図である。
【図１１】同実施例における取付体１の１つの係止部材３′がある部分と、繊維Ｓからなる布地との断面図である。
【図１２】同実施例における取付体１の１つの係止部材３′がある部分と、繊維Ｓからなる布地との断面図である。
【図１３】本発明の変形例２における取付体１の１つの係止部材３がある部分と、繊維Ｓからなる布地との断面図である。
【図１４】同変形例における取付体１の１つの係止部材３がある部分と、繊維Ｓからなる布地との断面図である。
【図１５】本発明の変形例３における異なる２つの係止部材３Ａ，３Ｂの断面図である。
【図１６】本発明の変形例４における取付体１の外観の一部を示す斜視図である。
【図１７】同変形例における取付体１の一部と、繊維Ｓからなる布地との断面図である。
【図１８】本発明の変形例５における係止部材３″の断面図である。
【図１９】同変形例における取付体１の１つの係止部材３″がある部分と、繊維Ｓからなる布地との断面図である。
【図２０】同変形例における取付体１の１つの係止部材３″がある部分と、繊維Ｓからなる布地との断面図である。
【図２１】本発明の変形例５の他の例における係止部材３″の断面図である。
【図２２】同変形例における取付体１の係止部材３″がある部分と、繊維Ｓからなる布地との断面図である。
【符号の説明】
【００５６】
１・・・取付体、２・・・基材、３・・・係止部材、３′・・・係止部材、３″・・・係止部材、４・・・状態変更部材、５・・・バネ、６・・・ラッチ機構、７・・・ストッパ、３０・・・フック部、３０ａ・・・係止端部、３０ｂ・・・基部、４０・・・挿通孔、６０・・・係合凸部、６１・・・係合部、６２・・・ハウジング、６３・・・係合凹部、６４・・・空洞、Ｓ・・・繊維
【図１】
0004393446.tif 000002
【図２】
0004393446.tif 000003
【図３】
0004393446.tif 000004
【図４】
0004393446.tif 000005
【図５】
0004393446.tif 000006
【図６】
0004393446.tif 000007
【図７】
0004393446.tif 000008
【図８】
0004393446.tif 000009
【図９】
0004393446.tif 000010
【図１０】
0004393446.tif 000011
【図１１】
0004393446.tif 000012
【図１２】
0004393446.tif 000013
【図１３】
0004393446.tif 000014
【図１４】
0004393446.tif 000015
【図１５】
0004393446.tif 000016
【図１６】
0004393446.tif 000017
【図１７】
0004393446.tif 000018
【図１８】
0004393446.tif 000019
【図１９】
0004393446.tif 000020
【図２０】
0004393446.tif 000021
【図２１】
0004393446.tif 000022
【図２２】
0004393446.tif 000023